(57)【要約】【課題】  従来の観音開きの楽器ケースは、楽器を取り出した後、別途に楽器スタンドを用意する必要があり、備品が増え、取扱いに不便がある。更に、施錠忘れにおいて、不意の楽器の落下により破損するという事態に至る。【解決手段】  楽器ケースを上下に分かれる縦型とし、下部ケースは楽器を抱持して収納し、該下部ケースの側面に飛出し脚を設け、下部ケースを楽器スタンドとして使用する。【選択図】  図３
2006337894.tif 000002
【特許請求の範囲】
【請求項１】
縦長状の筒状をなし、該筒状の内部空間に縦長状をなす楽器等の内容物を収納するケースであって、
前記ケースの本体は上部ケース体と下部ケース体とに分かれ、前記上部ケース体は前記下部ケース体より引抜きをもって取り外し可能とされ、前記下部ケース体は前記内容物を抱持するとともに、該下部ケース体の下端の外側面には外方へ引出し可能な飛出し脚が取り付けられ、
前記下部ケース体は、前記内容物を抱持したまま、前記上部ケースが取り外され、その底面が着底した状態で、前記飛出し脚の外方への引出しによる着底により安定的に自立する、
ことを特徴とする収納ケース。
【請求項２】
縦長状の筒状をなし、該筒状の内部空間に縦長状をなす楽器等の内容物を収納するケースであって、
当該ケースの底面は所定の着底面積を保持する着底面を有し、かつ、当該ケースは着底状態で特定の一方向へ倒れる指向性を有し、
前記ケースの本体は上部ケース体と下部ケース体とに分かれ、前記上部ケース体は前記下部ケース体より引抜きをもって取り外し可能とされ、前記下部ケース体は前記内容物を抱持するとともに、該下部ケース体の下端の外側面には前記指向性に対抗する外方向へ引出し可能な飛出し脚が取り付けられ、
前記下部ケース体は、前記内容物を抱持したまま、前記上部ケースが取り外され、その底面が着底した状態で、前記飛出し脚の外方向への引出しによる着底により完全状態で安定的に自立する、
ことを特徴とする収納ケース。
【請求項３】
飛出し脚は下部ケース内の凹部内に収容され、該凹部のピンを中心に回動して外方へ引き出される請求項１又は２のいずれかに記載の収納ケース。
【請求項４】
下部ケース体の底面の着底面積は不変である請求項１ないし３のいずれかに記載の収納ケース。
【請求項５】
飛出し脚は下部ケースの前面に１か所配される請求項１ないし４のいずれかに記載の収納ケース。
【請求項６】
飛出し脚は下部ケースの側面に倒れの指向方向に対抗して２か所配される請求項１ないし４のいずれかに記載の収納ケース。
【請求項７】
下部ケース体の底部には緩衝部が配されてなる請求項１ないし６のいずれかに記載の収納ケース。
【発明の詳細な説明】
【技術分野】
【０００１】
この発明は、楽器等の収納ケースに関し、更に詳しくは、自立して楽器用のスタンドとして使用できる収納ケースに関する。本発明において楽器のみに限定されるものではなく、その他の用途への適用もなされる。
【背景技術】
【０００２】
従来の一般に使用されている楽器ケースは、蝶番を介して観音開きの形式を採るものが多い。
しかし、この従来型楽器ケースにあっては、楽器を取り出した後は他に格別の用をなさず、容量の減少（例えば折り畳み）も行えず、収納場所を取るものである。また、楽器ケースより取り出された楽器を支持する場合は、別途に楽器スタンドを用意する必要があり、それだけ用意する備品が増え、取扱いに不便である。更に、当該スタンドは取扱い上の関係から小型のものが求められ、大型楽器（例えばサキソホーン）に対しても前面２点でのみ支持する構成になり、その結果、倒れ易く、時として楽器を損傷する事態にも至るものである。
また、従来の観音開き型ケースでは、施錠忘れにおいて、不意に楽器が落下し、破損するという事態に至ることもしばしばである。
【発明の開示】
【発明が解決しようとする課題】
【０００３】
本発明は上記実情に鑑みなされたものであって、上述した問題を解決する新規な構成の楽器ケースを提供することを目的とするものである。
本発明はまた、楽器に限らず楽器に類似する物品一般の収納ケースについても適用することも他の目的とする。
本発明はこのため、楽器ケースを上下の縦型とし、その下方部を楽器スタンドとして使用することを基本的技術思想としてこの目的を達成しようとするものである。
【課題を解決するための手段】
【０００４】
本発明の収納ケースは具体的には以下の構成を採る。
すなわち、請求項１のとおり、縦長状の筒状をなし、該筒状の内部空間に縦長状をなす楽器等の内容物を収納するケースであって、
前記ケースの本体は上部ケース体と下部ケース体とに分かれ、前記上部ケース体は前記下部ケース体より引抜きをもって取り外し可能とされ、前記下部ケース体は前記内容物を抱持するとともに、該下部ケース体の下端の外側面には外方へ引出し可能な飛出し脚が取り付けられ、
前記下部ケース体は、前記内容物を抱持したまま、前記上部ケースが取り外され、その底面が着底した状態で、前記飛出し脚の外方への引出しによる着底により安定的に自立する、
ことを特徴とする。
本発明はまた、更に特定すれば、請求項２のとおり、
縦長状の筒状をなし、該筒状の内部空間に縦長状をなす楽器等の内容物を収納するケースであって、
当該ケースの底面は所定の着底面積を保持する着底面を有し、かつ、当該ケースは着底状態で特定の一方向へ倒れる指向性を有し、
前記ケースの本体は上部ケース体と下部ケース体とに分かれ、前記上部ケース体は前記下部ケース体より引抜きをもって取り外し可能とされ、前記下部ケース体は前記内容物を抱持するとともに、該下部ケース体の下端の外側面には前記指向性に対抗する外方向へ引出し可能な飛出し脚が取り付けられ、
前記下部ケース体は、前記内容物を抱持したまま、前記上部ケースが取り外され、その底面が着底した状態で、前記飛出し脚の外方向への引出しによる着底により完全状態で安定的に自立する、
ことを特徴とする。
ここに、「縦長状をなす楽器等の内容物」は、以下の実施形態で具体的に示されるが、それに限定されるものではなく、他の同等のものを含む。また、「抱持」は内容物の正立状態を保つ固定把持状態を含み、「所定の着底面積」は、床面との当接状態に限られず、点接触であってもよく、点相互の閉合面積により着底面を保持することも含む。
上記構成において、
1)飛出し脚は下部ケース内の凹部内に収容され、該凹部内の軸部を中心に回動して外方へ引き出されること、
2)下部ケース体の底面の着底面積は不変であること、
3)飛出し脚は下部ケースの前面に１か所配されること、
4)飛出し脚は下部ケースの側面に倒れの指向方向に対抗して２か所配されること、
5)下部ケース体の底部には緩衝部が配されてなること、
は適宜実施される選択的事項である。
【０００５】
（作用）
本収納ケースの移動は、飛出し脚を収納状態とし、内容物を収納した状態をもって移動される。
本収納ケースは底面を着底させて仮置き状態とする。仮置き状態において、内容物は正立状態を保持し、特定の一方向に倒れる特性すなわち指向性を有し、かつこれによっても本収納ケースは容易には倒れない。すなわち、重心の垂線は着底面積の内方に存する。また、この仮置き状態から飛出し脚が前記した指向方向に引き出され、その着底をもって本ケースは安定的に支持される。すなわち、不意の外力が指向方向に作用したときにも、外力の一定範囲内でその作用力線は着底面積と飛出し脚との合成面積の内方に存するものである。
下部ケース体をスタンドとして使用するとき、本収納ケースを縦長の状態を保って着底させ、飛出し脚を前記した指向方向へ引き出し、上部ケース体を下部ケース体から引き抜く。
内容物は下部ケース体に抱持されて、正立状態を保って安定的に支持される。すなわち、この場合にも、不意の外力が指向方向に作用したときにも、外力の一定範囲内でその作用力線は着底面積と飛出し脚との合成面積の内方に存するものである。
内容物の除去された下部ケース体はもとより転倒性は一切ない。
【発明の効果】
【０００６】
本発明の収納ケースによれば、下部ケースを上部ケースを取り外した後の内容物のスタンドとして使用され、別途スタンドが不要であり、備品の削減となる。この状態で、内容物は安定的に支持され、不意の外力から防護され、安全である。また、施錠忘れによる下部ケースの落下についても内容物は安全である。
【発明を実施するための最良の形態】
【０００７】
（第１実施形態）
本発明の収納ケースの実施の形態を図面に基づいて説明する。
図１〜図８は本収納ケースの一実施形態を示し、楽器ケースへの適用例を示す。
図において、図１及び図２は本楽器ケースＹの全体を示し、図３〜図８はその部分構成を示す。すなわち、図１は本楽器ケースＹの全体的構成を示す立体斜視図、図２はその側面図である。
図において、Ｍは本楽器ケースＹに収納される内容物、すなわち楽器であり、本実施形態ではサキソホーンを示す。これらの図において、内容物すなわち楽器Ｍにつき、その前部を楽器ケースＹの前部と定義する。
【０００８】
図１・図２に示すように、本楽器ケースＹは、実質的に鉛直方向に長い筒状をなし、上部ケース体１と下部ケース体２とに継口部３を介して上下に分かれ、該上部ケース１は内容物Ｍの上部を収納し、該下部ケース２は内容物Ｍの下部を抱持収納し、該上部ケース体１は下部ケース体２より引抜きをもって取り外される。２ａは下部ケース体２の底面であり、前後の長さ及び幅は十分な着底面積を確保する。また、該継口部３には周方向に沿って該上部ケース１と該下部ケース２とを一体保持する複数のロック４が配され、該下部ケース体２の底側面部には出入自在の飛出し脚５が取り付けられてなる。更には、ストラップ７、把手８を含む。
【０００９】
以下、各構成要素につき詳述する。
上部ケース体１（図１、図２参照）
上部ケース体１は、殻体１０による躯体構造をなし、内部空間Ｓ１をもって、内容物Ｍの上部を収納し、下部ケース体２と同径もしくは該下部ケース体２よりも細身で、継口部３を介して下部ケース体２に被さる。
本実施形態では、下部ケース体２の大径に連なって下半部が大径となり、漸次上方に径を縮径し、上半部は細身を採る。１０ａは殻体１０の頭部であって、閉塞空間を形成する。
該上部ケース体１の躯体は剛性を保持するものであるが、その素材、組織構成については特に限定されるものではなく、また重さについても軽量であることは好ましいが、重量物であってもよい。
該上部ケース体１の内部空間Ｓ１は、内容物Ｍの上部を収納するものであるが、上方からの被嵌に障害となることなく挿入されることを要する。
【００１０】
下部ケース体２（図１、図２、図３参照）
下部ケース体２は、殻体１２による躯体構造をなし、内部空間Ｓ２をもって内容物Ｍの下半部を収納し、大径をもって形成され、底面２ａは平坦状とされる。底面２ａは前記のとおり十分な着底面積を有し、従って本楽器ケースＹの横方向の倒れは前方向への倒れよりも小さくされ、不意の外力に対抗する。
該下部ケース体２の躯体は、剛性を上部ケース体１と同等もしくはそれ以上に大きくされ、素材、組織構成並びに重さについても上記した上部ケース１に準じる。
また、該下部ケース体２の躯体は後記するように飛出し脚５を収納する凹部が形成され、かつ、該凹部に飛出し脚５用の軸が固定されるものであり、強固な構造とする。
該下部ケース体２の内部空間Ｓ２は、上方から挿入される内容物Ｍを受入れ、かつ該内容物Ｍの下面及び側面を抱持する形状とされる。このため、該下部ケース体２の内面部には内容物Ｍを抱持する内部ケース１３が配される。１３ａは該内部ケース１３の上面に形成され、内容物Ｍの下部を抱き込む抱持面である。本実施形態の内部ケース１３はやや硬目の柔軟材が選ばれ、十分な厚みを有し、本楽器ケースＹの不意の落下において緩衝作用をなす。
図３は内容物Ｍを収納した下部ケース体２のみの立設状態を示す。内容物すなわちサキソホーンＭには更にネック及びマウスピースＭａが装着されている。この状態でサキソホーンＭは正立状態を採り、かつ飛出し脚５が収容され、着底状態でやや安定な支持状態、すなわち、特定の一軸方向への倒れ傾向すなわち指向性を示すが、底面２ａの着底のみで自立状態を保つ。換言すれば、この状態での全体の重心の垂線は着底面積の内方に存する。これにより、不意の外力が加わらない限り転倒しない重心位置状態を採る。
【００１１】
継口部３（図４参照）
継口部３は、下部ケース体２が上部ケース体１の挿入嵌合を受け入れる構造、例えば入子状を採る。
継口部３の周方向の形状は、本実施形態ではサキソホーンの形状に対応する波状となっているが、この形状に限定されず、他の楽器に応じて適宜変更される。
図４はこの継口部３の拡大構成を示す。図において、１５ａは上部ケース体１の上部凹部、１５ｂは下部ケース体２の下部凹部である。上部凹部１５ａと下部凹部１５ｂとは互いに嵌合し、外側面において面一となる。
【００１２】
ロック４（図５参照）
ロック４は、継口部３に沿って２又は３以上の複数か所に配される。
該ロック４は、上部ケース体１と下部ケース体２とを施錠作用をもって離脱を阻止し、開錠作用により離脱可能とされる。該ロック４は公知のものが使用されるが、上部ケース体１を取り外した状態での下部ケース体２において、装飾性のあるものが好ましい。
該ロック４の通常の態様においては、雄部と雌部とからなり、雄部が上部ケース体１に固定され、雌部が下部ケース体２に固定され、雄部の雌部への嵌合とともに施錠がなされる。
図５はその摸式構成を示し、上部ケース体１に固設された雄金具装置１７から突設される雄金具１７ａを、下部ケース体２に固設された雌金具１８に係合させ、雄金具押し具１７ｂを倒し込んで施錠する。
【００１３】
飛出し脚５（図６〜図８参照）
飛出し脚５は、下部ケース体２の下端前部の側面部に形成された凹部２０内に収納され、該凹部２０より引出し自在に取り付けられる。
該飛出し脚５は、一端をケースに枢着され該ケースより飛出し可能な脚本体２２、一端をケースに枢着され他端を該脚本体２２に枢着される支えリンク２３を主体とし、これらの脚本体２２、支えリンク２３は下部ケース２内の軸２４，２５に相対移動を許容して枢着される。なお、凹部２０は、脚本体２２を収容する凹部２２ａと支えリンク２３を収容する凹部２２ｂとからなる。軸２４は凹部２２ａに配され、軸２５は凹部２２ｂに配される。
詳しくは、脚本体２２は２つの縦脚２２ａが上方より下方に幅を広げるとともに、該２つの縦脚２２ａは上部及び中間部で横棒２２ｂ，２２ｃをもって連結されてなる形状、いわゆるＡ字状をなす。脚本体２２の上部棒２２ｂは軸方向に長い軸孔が形成され、該軸孔内に下部ケース２の本体に軸支される軸２４が挿通され、脚本体２２の下端面は引き出されたとき床面に当接する平面をなす。軸孔は軸２４に対し上下にずれ移動を許容する。
脚本体２２の中間棒２２ｃは支えリンク２３と連結される。
支えリンク２３は２つの第１及び第２リンク棒２３ａ，２３ｂがピン２３ｃを介してリンク節を形成する。第１リンク棒２３ａの他端は、軸方向に長い軸孔が形成され、該軸孔をもって下部ケース２の本体に軸支される軸２５を挿通し、軸孔は軸２５に対し上下にずれ移動を許容する。第２リンク棒２３ｂは他端を脚本体２２の中間棒２２ｃにピンをもって連結される。
【００１４】
しかして、該飛出し脚５は該下部ケース体２の底面２ａより突出することなく、下部ケース体２の凹部２０に収納される。また、その引出し状態では下部ケース体２の底面２ａと同一水準を保持して安定状態となる。
飛出し脚５の収納状態において、脚本体２２は凹部２２ａに、支えリンク２３は収縮状態をもって凹部２２ｂに折り込まれ、おのおの収容される。このとき、脚本体２２及び支えリンク２３はそれらの軸孔の長孔作用により上方へずれ変位をなす。これにより、脚本体２２は下部ケース２の底面より突出することはない。
飛出し脚５を引き出すとき、脚本体２２を一旦下方へ引き下げ、（このとき、軸孔は長孔をもってそれぞれ脚本体２２及び支えリンク２３の引き下げ移動を許容する。図８のイ方向）、次いで、脚本体２２を前方へ引き出す（このとき、軸孔は長孔をもってそれぞれ脚本体２２及び支えリンク２３の軸２４，２５を中心とする回転移動を許容する。図８のロ方向）。支えリンク２３は伸長する。定置状態では支えリンク２３が直線状を採り、飛出し脚５を固定状態となす。
【００１５】
その他の付属物
（ストラップ７）
ストラップ７は、本楽器ケースＹの前面に上部ケース１と下部ケース２とに両端を固定される。該ストラップ７は取外し可能とされ、上部ケース体１と下部ケース体２とに装着された留め具（雌）に、両端に止め具（雄）を係合させる。
（取っ手８）
取っ手８は、本楽器ケースＹの前面に上部ケース体１の大径部の上面に固定される。該取っ手８を把持して持ち上げるとき、本楽器ケースＹは安定した重心作用をなし、回転することはない。
【００１６】
使用の態様
本楽器ケースＹに所定の楽器Ｍを収納する。すなわち、開放された下部ケース体２に楽器Ｍを上方より収容し、その内部ケース１３の抱持面１３ａで楽器Ｍの下方部を抱持する。上部ケース体１を被せて、継口部３を嵌合させ、ロック４を施錠する。このとき、飛出し脚５は収納状態となっている。
持ち運びにおいて、ストラップ７を肩に下げて移動する。このとき、楽器ケースＹ内のサキソホーンＭは正立状態を保つ。
収納状態のまま本楽器ケースＹを床面に定置する。この状態において、本楽器ケースＹは容易には転倒しない。すなわち、重心の垂線は着底面積の内方に存する。また、飛出し脚５を引き出して着底させると安定的に支持される。すなわち、不意の外力が指向方向に作用したときにも、外力の一定範囲内でその作用力線は着底面積と飛出し脚との合成面積の内方に存するものである。
スタンド態様の使用につき、飛出し脚５を引き出して着底させ、次いでロック４を解除し、上部ケース体１を下部ケース体２から引き抜く。下部ケース体２は楽器Ｍを抱持し、安定的に支持される。すなわち、この場合にも、不意の外力が指向方向に作用したときにも、外力の一定範囲内でその作用力線は着底面積と飛出し脚との合成面積の内方に存するものである。
【００１７】
（効果）
本実施形態の収納ケースＹによれば、下部ケース体２を内容物Ｍのスタンドとして使用され、スタンドが不要であり、備品の削減となる。この状態で、内容物Ｍは不意の外力から防護され、安全である。また、施錠忘れによる下部ケース体２の落下についても内容物Ｍは安全である。
【００１８】
（第２実施形態）
図９〜図１１は本収納ケースの他の実施形態（第２実施形態）の楽器ケースを示す。
本楽器ケースＹ１は、ギター用ケースへの適用例を示し、先の実施形態と同等の部材については同一の符号が附されている。ギターはそれ自体で自立性がなく、極めて不安定である。
本ギター用楽器ケースＹ１においても、先に実施形態に準じ、上部ケース体１と下部ケース体２とは継口部３を介して上下に分かれ、それらの内部空間にギターＧを収納し、継口部３周りに適宜物（本実施形態では３か所）ロック４が配されてなる。下部ケース体２において、内部ケース体１３の抱持面１３ａをもってギターＧの下部を抱持する。２ａは下部ケース体２の底面である。
図により明らかなとおり、本楽器ケースＹ１は背面への倒れ指向性を有する。
【００１９】
本実施形態における特徴は、本楽器ケースＹ１の背面において、下部ケース体２から上部ケース体１に継口部３を介して支柱部２ｂが立設状に形成されてなる。該支柱部２ｂの縁部は継口部３となることから、上方へ至るにつれ幅狭に形成されるが、等幅であってもよい。
【００２０】
支柱部２ｂに本実施形態に特有の飛出し脚５Ａが配される。該飛出し脚５Ａも本発明の趣旨に沿い、本楽器ケースＹ１の倒れ指向側に配されるものである。
当該飛出し脚５Ａは、１本の縦脚形式の脚本体２２Ａと、支えリンク２３Ａとからなる。脚本体２２Ａ、支えリンク２３Ａは凹部２０に収納される。
脚本体２２Ａは、軸２４をもって下部ケース体に枢着されるとともに下方に中空部３０を有する上方脚２２ｄと、該上部脚２２ｄの中空部３０に挿通される下方脚２２ｅとからなる。
下方脚２２ｅは上部棒（カン）３１と該上部棒３１の下端にＴ字状に固設される接地棒３２とからなり、上部棒３１は上部脚２２ｄの中空部３０に嵌挿され、適宜の留め具（ねじ又はストッパー）をもって抜出しを阻止させる。
支えリンク２３Ａは先の実施形態のものと実質的に変わらず、一端を下部ケース体２に軸２５をもって枢着され、他端を脚本体２２Ａの上部脚２２ｄにピン接合される。
【００２１】
脚本体２２Ａの引出しにおいて、軸２４を中心に揺動回転し、支えリンク２３Ａにより回転が阻止され、次いで、上方脚２２ｄより下方脚２２ｅを引き出し、その接地棒３２を床面に当てる。
脚本体２２Ａを収納するためには、支えリンク２３Ａのツッパリ力を解除し、また下方脚２２ｅを上方脚２２ｄに引き入れ、しかる後、軸２４，２５を中心に揺動して凹部２０に収納する。
【００２２】
この脚本体２２Ａの引出しにおいて、支えリンク２３Ａがストッパーとなるが、該脚本体２２Ａを廃し、上方脚２２ｄの頭部と凹部２０との係合をもってストッパー作用をさせることも可能である。
【００２３】
支柱部２ｂの上端部の内側には、前部に向け凹部３４を有する枕部材３５が固設される。
該凹部３４にギターＧの首部を預ける。
ギターＧはこの下部ケース体２において、内部ケース１３と枕部材３５とによって抱持され、正立状態を保つ。
【００２４】
（第２実施形態の作用・効果）
本楽器ケースＹ１に所定の楽器ギターＧを収納する。すなわち、開放された下部ケース体２に楽器Ｇを上方より収容し、その内部ケース１３の抱持面１３ａで楽器Ｇの下方部を抱持する。上部ケース体１を被せて、継口部３を嵌合させ、ロック４を施錠する。このとき、飛出し脚５Ａは収納状態となっている。
収納状態のまま本楽器ケースＹ１を床面に定置する。この状態において、本楽器ケースＹ１は容易には転倒しない。すなわち、重心の垂線は底面２ａの着底面積の内方に存する。また、飛出し脚５Ａを引き出して着底させると安定的に支持される。すなわち、不意の外力が指向方向に作用したときにも、外力の一定範囲内でその作用力線は着底面積と飛出し脚５Ａとの合成面積の内方に存するものである。
スタンドの使用において、飛出し脚５Ａを引き出し、本楽器ケースＹ１を着底させ、上部ケース体１を上方へ引き抜く。
内容物としてのギターＧは細身状であり、それ自体で自立性はないが、その下部で下部ケース体２に抱持されるとともに、首部で下部ケース体２の支持部２ｂの枕部材３５で支持され、該ギターＧは立設状態を保ったまま安定して支持されることになる。すなわち、この場合にも、不意の外力が指向方向に作用したときにも、外力の一定範囲内でその作用力線は着底面積と飛出し脚との合成面積の内方に存するものである。
【００２５】
本発明は上記実施の形態に限定されるものではなく、本発明の基本的技術思想の範囲内で種々設計変更が可能である。すなわち、以下の態様は本発明の技術的範囲に属する。
1)叙上の実施形態では長孔並び入れ子機構による飛出し脚５、５Ａを引出し（ロ方向）を伴うものであるが、底面２ａの着底面積が不変であれば、これらの機構を省略することができる。
支えリンク２３も他のストッパー機構が採用することができれば省略することができる。
2)叙上の実施形態では楽器についての収納ケースであったが、スタンドを要する他の同等のもの、例えばスポーツ用品にも適用されうるものである。
【図面の簡単な説明】
【００２６】
【図１】本発明の楽器ケースの一実施形態（サキソホーン用楽器ケース）の立体図。
【図２】本楽器ケースＹの側面図。
【図３】本楽器ケースＭの下部ケース体と内容物との収納状態を示す図。
【図４】継口部の構成を示す図。
【図５】ロックの模式構成図。
【図６】飛出し脚の前面図。
【図７】図６の７−７線拡大断面図。
【図８】飛出し脚の引出し状態を示す図。
【図９】本発明の他の実施形態（ギター用楽器ケース）の立体図。
【図１０】その背面の構成を示す図。
【図１１】図１０の１１−１１線断面図。
【符号の説明】
【００２７】
Ｙ，Ｙ１…楽器ケース、Ｍ, Ｇ…楽器（内容物）、１…上部ケース体、２…下部ケース体、２ｂ…支柱部、３…継口部、４…ロック、５，５Ａ…飛出し脚、１０, １２…殻体、１３…内部ケース、１３ａ…抱持面、２０…凹部、２２, ２２Ａ…脚本体、２３，２３Ａ…支えリンク、２４，２５…軸
【図１】
2006337894.tif 000003
【図２】
2006337894.tif 000004
【図３】
2006337894.tif 000005
【図４】
2006337894.tif 000006
【図５】
2006337894.tif 000007
【図６】
2006337894.tif 000008
【図７】
2006337894.tif 000009
【図８】
2006337894.tif 000010
【図９】
2006337894.tif 000011
【図１０】
2006337894.tif 000012
【図１１】
2006337894.tif 000013